(57)【要約】【課題】防水層立ち上がり部のシールの品質を低コストで効率的に構築する。【解決手段】防水層立ち上がり端部を壁面に固定するとともに前記端部とその近傍を遮蔽して雨水の浸入あるいは紫外線、太陽光線等による劣化現象を防止するための保護金具と、前記金具の外側と壁面との間に形成される第１シールと、前記金具に遮蔽されて金具と壁面との間に形成される第２シールとを具え、前記保護金具は、防水層立ち上がり端部を壁面との間で挟持するベース板と、このベース板上端から壁面方向に突出して壁面に当接して前記第１シールと第２シールとを区画する分離板と、ベース板上端から外方に突出して壁面との間で前記第１シールを形成するための支持板とを具えることを特徴とする壁面における防水層立ち上がり部の保護構造を提供して、上記課題を解決する。【選択図】    図１
2004339689.tif 000002
【特許請求の範囲】
【請求項１】
床面から壁面まで延伸される防水層の立ち上がり部の雨水、紫外線、熱等に対する保護構造であって、防水層立ち上がり端部を壁面に固定するとともに前記端部とその近傍を遮蔽して雨水の浸入あるいは紫外線、太陽光線等による劣化現象を防止するための保護金具と、前記金具の外側と壁面との間に形成される第１シールと、前記金具に遮蔽されて金具と壁面との間に形成される第２シールとを具え、前記保護金具は、防水層立ち上がり端部を壁面との間で挟持するベース板と、このベース板上端から壁面方向に突出して壁面に当接して前記第１シールと第２シールとを区画する分離板と、ベース板上端から外方に突出して壁面との間で前記第１シールを形成するための支持板とを具えたことを特徴とする防水層立ち上がり部の保護構造。
【請求項２】
請求項１記載の壁面における防水層立ち上がり部の保護構造において、前記分離板は壁面に当接する端部が上方となる傾斜角を有し、前記支持板は壁面側から外方にかけて下降するように形成したことを特徴とする防水層立ち上がり部の保護構造。
【請求項３】
請求項２記載の壁面における防水層立ち上がり部の保護構造において、前記分離板には傾斜角の調整手段を設け端部の壁面への着実な当接を確保するとともに、支持板の外方端には垂下する外板を一体に形成したことを特徴とする防水層立ち上がり部の保護構造。
【請求項４】
請求項３の防水層立ち上がり部の保護構造において、ベース板はその下端に外方へ下降する傾斜部を形成したことを特徴とする防水層立ち上がり部の保護構造。
【請求項５】
請求項３または４いずれかの防水層立ち上がり部の保護構造において、ベース板は外板より長く形成され、外板に覆われていない部分においてベース板を壁面等にビス止めできるようにしたことを特徴とする防水層立ち上がり部の保護構造。
【請求項６】
請求項３または４いずれかの防水層立ち上がり部の保護構造において、外板はベース板より長く形成され、外板に設けた通気孔を介してベース板を壁面等にビス止めできるようにしたことを特徴とする防水層立ち上がり部の保護構造。
【請求項７】
壁面における防水層立ち上がり端部を壁面に固定するとともに前記端部とその近傍を遮蔽して雨水の浸入あるいは紫外線、太陽光線等による劣化現象を防止するための保護金具であって、防水層立ち上がり端部を壁面との間で挟持するベース板と、このベース板上端から壁面方向に突出して壁面に当接して前記第１シールと第２シールとを区画する分離板と、ベース板上端から外方に突出して壁面との間で前記第１シールを形成するための支持板とを具え、支持板の外方端には垂下する外板を一体に形成したことを特徴とする保護金具。
【請求項８】
請求項７記載の保護金具において、前記分離板は壁面に当接する端部が上方となる傾斜角を有し、前記支持板は壁面側から外方にかけて下降するように形成したことを特徴とする保護金具。
【請求項９】
請求項５記載の保護金具において、前記分離板には傾斜角の調整手段を設け端部の壁面への着実な当接を確保するとともに、ベース板はその下端に外方へ下降する傾斜部を形成したことを特徴とする保護金具。
【請求項１０】
請求項７ないし９いずれかの保護金具において、ベース板は外板より長く形成され、外板に覆われていない部分においてベース板を壁面等にビス止めできるようにしたことを特徴とする防水層立ち上がり部の保護構造。
【請求項１１】
請求項７ないし９いずれかの保護金具において、外板はベース板より長く形成され、外板に設けた通気孔を介してベース板を壁面等にビス止めできるようにしたことを特徴とする保護金具。
【発明の詳細な説明】
【０００１】
【発明の属する技術分野】
本願発明は、建造物の屋上等において、壁面まで延伸された防水層の保護構造ならびにこれに使用される保護金具に関するものである。
【０００２】
【従来の技術】
屋上の周壁その他の壁面まで延伸された防水層の立ち上がりの保護構造としては、従来図５に示すようなものが知られている。
図において、１は屋上のコンクリート床面、２は屋上の四周に形成される壁面、３は防水層で、この防水層３はコンクリート床面１から延伸され壁面２上に立ち上がり部４が形成されている。
立ち上がり部４の端部には第１金具５が沿設され、ビスにより前期端部は第１金具５と壁面２との間で挟持固定されている。  立ち上がり部４の端部と第１金具５の接合端面にはシール部材が添着されて第１シール６が形成されている。
【０００３】
また、７は前記第１シールおよびその近傍を遮蔽して保護する第２金具であり、シール手段としてのゴムパッキング８を介して壁面２に固定されている。
このようにして、防水層３の壁面２における立ち上がり部４の端部には、言わば二重シールが施されている。このような二重シールは、壁面を伝わる大量の雨水や、紫外線、太陽熱から立ち上がり部４の端部のシーリングを保護するためには必要不可欠であり、上記で、例えば、第１シール６の保護手段としての第２金具等を設けず、第１シール６のみを単独で設けた場合、第１シール６部分の耐候性は著しく低下し、極めて短時間のうちにシール部分が劣化し雨水が浸入してしまう。
【０００４】
【発明が解決しようとする課題】
しかしながら、前記従来の技術には次のような不都合があった。
▲１▼  図５に示す保護構造では、先ず、防水層３の立ち上がり部４の端部を第１金具５によりコンクリート壁面２に固定して第１シール６を形成し、次いで第２金具７をシール手段としてのゴムパッキング８を介して壁面２に固定すると言うように２工程を必要とし、使用する金具も２部材であるなど施工コスト、施工効率の点で問題があった。
▲２▼  第１金具、第２金具を上下方向に並設する構成のため、低い箇所での構築には煩瑣な施工を必要とされる。
▲３▼  図５に示す保護構造の実際の施工は、先ず防水工事専門メーカーが防水層の敷設を担当し、防水層３の立ち上がり部４の端部を第１金具５によりコンクリート壁面２に固定して第１シール６を形成するまでを行い、防水工事終了とされる。これ以降は防水工事とは切り離して全く別種の工事として扱われ、防水工事の完了を待って、防水工事専門メーカーとは別の施工業者が第２金具７をシール手段としてのゴムパッキング８を介して壁面２に固定する作業を担当するようになっている。
しかしながら、工事をこのように区分してしまうと、工期の遅れ、施工コストの増加等の不都合が生じるばかりでなく、防水の安全性も確保できない虞が生じる。  すなわち、第１シール６を保護するための第２金具７をシール手段としてのゴムパッキング８等の取り付け作業は防水工事の重要な部分であり、この作業を防水分野の全般に通暁する防水専門メーカーが担当してこそ防水の安全性の確保が実現できるのである。
【０００５】
【課題を解決するための手段】
本願発明は、床面から壁面まで延伸される防水層の立ち上がり部の雨水、紫外線、熱等に対する保護構造を、防水層立ち上がり端部を壁面に固定するとともに前記端部とその近傍を遮蔽して雨水の浸入あるいは紫外線、太陽光線等による劣化現象を防止するための保護金具と、前記金具の外側と壁面との間に形成される第１シールと、前記金具に遮蔽されて金具と壁面との間に形成される第２シールとを具え、前記保護金具は、防水層立ち上がり端部を壁面との間で挟持するベース板と、このベース板上端から壁面方向に突出して壁面に当接して前記第１シールと第２シールとを区画する分離板と、ベース板上端から外方に突出して壁面との間で前記第１シールを形成するための支持板とを具えて構成して上記課題を解決しようとするものである。
【０００６】
また、上記保護構造において、前記分離板は壁面に当接する端部が上方となる傾斜角を有し、前記支持板は壁面側から外方にかけて下降するように形成することがある。
【０００７】
さらに、上記保護構造において、前記分離板には傾斜角の調整手段を設け端部の壁面への着実な当接を確保するとともに、支持板の外方端には垂下する外板を一体に形成することがある。
【０００８】
さらにまた、上記保護構造において、ベース板はその下端に外方へ下降する傾斜部を形成して防水性の向上を確保することがある。
【０００９】
また、上記いずれかの保護構造において、ベース板は外板より長く形成され、外板に覆われていない部分においてベース板を壁面等にビス止めできるように構成して、施工効率の向上を確保することがある。
【００１０】
さらに、上記いずれかの防水層立ち上がり部の保護構造において、外板はベース板より長く形成され、外板に設けた通気孔を介してベース板を壁面等にビス止めできるように構成することがある。
【００１１】
本願発明はまた、壁面における防水層立ち上がり端部を壁面に固定するとともに前記端部とその近傍を遮蔽して雨水の浸入あるいは紫外線、太陽光線等による劣化現象を防止するための保護金具を、防水層立ち上がり端部を壁面との間で挟持するベース板と、このベース板上端から壁面方向に突出して壁面に当接して前記第１シールと第２シールとを区画する分離板と、ベース板上端から外方に突出して壁面との間で前記第１シールを形成するための支持板とを具え、支持板の外方端には垂下する外板を一体に形成するように構成して、上記従来の課題を解決しようとするものである。
【００１２】
上記保護金具において、前記分離板は壁面に当接する端部が上方となる傾斜角を有し、前記支持板は壁面側から外方にかけて下降するように形成することがある。
【００１３】
また、上記保護金具において、前記分離板には傾斜角の調整手段を設け端部の壁面への着実な当接を確保するとともに、ベース板はその下端に外方へ下降する傾斜部を形成することがある。
【００１４】
さらに、上記いずれかの保護金具において、ベース板は外板より長く形成され、外板に覆われていない部分においてベース板を壁面等にビス止めできるように構成することがある。
【００１５】
さらにまた、上記いずれかの保護金具において、外板はベース板より長く形成され、外板に設けた通気孔を介してベース板を壁面等にビス止めできるように構成することもある。
【００１６】
【発明の実施形態】
以下、本願発明の実施形態を説明する。なお、以下において、保護金具は、防水層立ち上がり部の保護構造に併せて説明する。
図１および図２は、それぞれ本願発明の第１実施形態に係る防水層立ち上がり部の保護構造の一部切欠断面図および一部切欠斜視図である。
図において、１１は保護金具で、床面から壁面に延伸される防水層１２の立ち上がり端部１２ａを壁面１３に固定するとともに前記端部１２ａとその近傍を遮蔽して雨水の浸入あるいは紫外線、太陽光線等による劣化現象を防止するようになっている。
【００１７】
１４は、前記金具１１の外側と壁面１３との間に形成される第１シール、１５は、前記金具１１に遮蔽されて金具１１と壁面１３との間で防水層立ち上がり端部１２ａをシーリングする第２シールである。なお、１６は、前記第１シール１４のバックアップ材、１７は金具を壁面１３に固定するビスである。
このように、防水層立ち上がり端部１２ａと壁面１３との間は、第１シール１４と第２シール１５とのより二重にシーリングされていて雨水に対するシーリングを万全なものとしている。  また、第２シール１５は金具１１により常時遮蔽されているから、外気温の変化、紫外線、太陽光線等による劣化作用を受け難くその耐久性は格段に向上する。
【００１８】
前記保護金具１１は、図２に示すように、前記防水層１２の立ち上がり端部１２ａを壁面１３との間で挟持するベース板１１ａと、このベース板１１ａ上端から壁面１３方向に斜め上方に突出し壁面１３に当接して前記第１シール１４の区画と第２シール１５の区画とを区画する分離板１１ｂと、ベース板１１ａ上端から壁面１３とは反対の外方に突出して壁面１３との間で前記第１シールを形成するための支持板１１ｃと、この支持板１１ｃから垂下する外板１１ｄと、前記ベース板１１ａの下方に穿設される複数のビス止め用の孔部と、を具え、アルミ材の押し出し成形により一体に形成されている。
【００１９】
なお、支持板１１ｃは、雨水等の流下を容易になすために壁面側から外方にかけて下降傾斜するように形成することが望ましい。  さらに、前記分離板１１ｂも壁面に当接する端部が上方となる傾斜角を有して形成される。
そして、この分離板１１ｂには前記支持板１１ｃとの間に傾斜角の調整手段としての溝部１１ｆが設けられていて、分離板１１ｂ端部の壁面への着実な当接を確保するようになっている。すなわち、調整手段としての溝部１１ｆの存在により分離板１１ｂの傾斜角の調節が容易になり当接の相手方である壁面の状態に適切に対応できることになる。
また、図において、１１ｇは、前記支持板１１ｃの下端に一体に形成される傾斜部で、外方へ下斜めに突出して防水性の向上を確保するようになっている。
「実２で、使うかも：それぞれ後述の保護パネルを挟持するために形成される外側押さえ及び内側押さえである。  そして、前記外側押さえ１１ｄには空気流通用の貫通孔１１ｇが形成され、」
【００２０】
図３、図４は、それぞれ他の実施形態に係る防水層立ち上がり部の保護構造の一部切欠断面図および一部切欠斜視図である。この実施形態では、保護金具２１の構成が前記実施形態と若干異なるのみで、防水層、壁面等と保護金具の関連構成は同一である。
保護金具２１は、図４に示すように、前記防水層１２の立ち上がり端部１２ａを壁面１３との間で挟持するベース板２１ａと、このベース板２１ａ上端から壁面１３方向に斜め上方に突出し壁面１３に当接して前記第１シール１４の区画と第２シール１５の区画とを区画する分離板２１ｂと、ベース板２１ａ上端から壁面１３とは反対の外方に突出して壁面１３との間で前記第１シールを形成するための支持板２１ｃと、この支持板２１ｃから垂下する外板２１ｄと、前記外板２１ｄにおいてベース板２１ａに対向する部分に穿設される複数の通気孔と、を具え、アルミ材の押し出し成形により一体に形成されている。外板２１ｄはベース板２１ａより長く形成され、外板２１ｄに設けた通気孔２１ｅを介してベース板２１ａを壁面等にビス止めできるようにしてある。通気孔２１ｅは、外部との換気を促進して湿気によるカビ発生等の不都合を防止する。
【００２１】
【発明の効果】
本願発明は、以上説明した構成作用により、床面から屋上の周壁その他の壁面まで延伸された防水層の立ち上がりの保護におけるいわゆる二重シールにおいて、防水層の立ち上がり端部の直接シール区画を金属板により遮蔽するしさらにこの金属板を水密に遮蔽する他のシール区画で保護するとともに、直接シール区画を紫外線、太陽熱等から遮断を低コスト施工可能にし、しかも防水専門メーカーが一貫して工事を担当できるようにしたので防水品質が飛躍的に向上する。また、防水層の保護板を必ずしも必要としないので特に、低い位置での施工に適している。
【図面の簡単な説明】
【図１】本願発明の１実施形態に係る防水層立ち上がり部の保護構造の一部切欠断面図である。
【図２】保護金具の１実施形態に係る一部切欠斜視図である。
【図３】本願発明の他の実施形態に係る防水層立ち上がり部の保護構造の一部切欠断面図である。
【図４】同上実施形態に係る保護金具の一部切欠斜視図である。
【図５】従来技術を示す断面図である。
【符号の説明】
１１、２１．．．．．．保護金具
１２．．．．．．．．．防水層立ち上がり部
１３．．．．．．．．．壁面
１４．．．．．．．．．第１シール部
１５．．．．．．．．．第２シール部
【図１】
2004339689.tif 000003
【図２】
2004339689.tif 000004
【図３】
2004339689.tif 000005
【図４】
2004339689.tif 000006
【図５】
2004339689.tif 000007
【手続補正書】
【提出日】平成15年12月9日(2003.12.9)
【手続補正１】
【補正対象書類名】明細書
【補正対象項目名】全文
【補正方法】変更
【補正の内容】
【特許請求の範囲】
【請求項１】床面から壁面まで延伸される防水層の立ち上がり部の雨水、紫外線、熱等に対する保護構造であって、防水層立ち上がり端部を壁面に固定するとともに前記端部とその近傍を遮蔽して雨水の浸入あるいは紫外線、太陽光線等による劣化現象を防止するための保護金具と、前記金具の外側と壁面との間に形成される第1シールと、前記金具に遮蔽されて金具の壁面対向部と壁面との間に形成される第2シールとを具え、前記保護金具は、防水層立ち上がり端部を壁面との間で挟持するベース板と、このベース板上端から壁面方向に突出して壁面に当接して前記第1シールと第2シールとを区画する分離板と、ベース板上端から外方に突出して壁面との間で前記第1シールを形成するための支持板とを具えたことを特徴とする防水層立ち上がり部の保護構造。
【請求項２】請求項１記載の壁面における防水層立ち上がり部の保護構造において、前記分離板は壁面に当接する端部が前記ベース板上端より上方となる傾斜角を有し、前記支持板は壁面側から外方にかけて下降するように形成したことを特徴とする防水層立ち上がり部の保護構造。
【請求項３】請求項２記載の壁面における防水層立ち上がり部の保護構造において、前記分離板には傾斜角の調整手段を設け端部の壁面への着実な当接を確保するとともに、支持板の外方端には垂下する外板を一体に形成したことを特徴とする防水層立ち上がり部の保護構造。
【請求項４】請求項３の防水層立ち上がり部の保護構造において、ベース板はその下端に外方へ下降する傾斜部を形成したことを特徴とする防水層立ち上がり部の保護構造。
【請求項５】請求項３または４いずれかの防水層立ち上がり部の保護構造において、ベース板は外板より長く形成され、外板に覆われていない部分においてベース板を壁面等にビス止めできるようにしたことを特徴とする防水層立ち上がり部の保護構造。
【請求項６】請求項３または４いずれかの防水層立ち上がり部の保護構造において、外板はベース板より長く形成され、外板に設けた通気孔を介してベース板を壁面等にビス止めできるようにしたことを特徴とする防水層立ち上がり部の保護構造。
【請求項７】壁面における防水層立ち上がり端部を壁面に固定する一方、前記端部とその近傍を外方に露出する第１シールと露出しない第２シールとにより遮蔽して雨水の浸入を防止するとともに紫外線、太陽光線等による劣化現象を防止するための保護金具であって、防水層立ち上がり端部を壁面との間で挟持するベース板と、このベース板上端から壁面方向に突出して壁面に当接して前記第1シールと第2シールとを区画する分離板と、ベース板上端から外方に突出して壁面との間で前記第1シールを形成するための支持板とを具え、支持板の外方端には垂下する外板を一体に形成したことを特徴とする保護金具。
【請求項８】請求項７記載の保護金具において、前記分離板は壁面に当接する端部がベース板上端より上方となる傾斜角を有し、前記支持板は壁面側から外方にかけて下降するように形成したことを特徴とする保護金具。
【請求項９】請求項５記載の保護金具において、前記分離板には傾斜角の調整手段を設け端部の壁面への着実な当接を確保するとともに、ベース板はその下端に外方へ下降する傾斜部を形成したことを特徴とする保護金具。
【請求項１０】請求項７ないし９いずれかの保護金具において、ベース板は外板より長く形成され、外板に覆われていない部分においてベース板を壁面等にビス止めできるようにしたことを特徴とする防水層立ち上がり部の保護構造。
【請求項１１】請求項７ないし９いずれかの保護金具において、外板はベース板より長く形成され、外板に設けた通気孔を介してベース板を壁面等にビス止めできるようにしたことを特徴とする保護金具。
【発明の詳細な説明】
【０００１】
【発明の属する技術分野】
本願発明は、建造物の屋上等において、壁面まで延伸された防水層の保護構造ならびにこれに使用される保護金具に関するものである。
【０００２】
【従来の技術】
屋上の周壁その他の壁面まで延伸された防水層の立ち上がりの保護構造としては、従来図５に示すようなものが知られている。
図において、１は屋上のコンクリート床面、２は屋上の四周に形成される壁面、３は防水層で、この防水層３はコンクリート床面１から延伸され壁面２上に立ち上がり部４が形成されている。
立ち上がり部４の端部には第1金具５が沿設され、ビスにより前期端部は第1金具５と壁面２との間で挟持固定されている。  立ち上がり部４の端部と第1金具５の接合端面にはシール部材が添着されて第1シール６が形成されている。
【０００３】
また、７は前記第1シールおよびその近傍を遮蔽して保護する第2金具であり、シール手段としてのゴムパッキング８を介して壁面２に固定されている。
このようにして、防水層３の壁面２における立ち上がり部4の端部には、言わば二重シールが施されている。このような二重シールは、壁面を伝わる大量の雨水や、紫外線、太陽熱から立ち上がり部4の端部のシーリングを保護するためには必要不可欠であり、上記で、例えば、第1シール６の保護手段としての第2金具等を設けず、第1シール６のみを単独で設けた場合、第1シール６部分の耐候性は著しく低下し、極めて短時間のうちにシール部分が劣化し雨水が浸入してしまう。
【０００４】
【発明が解決しようとする課題】
しかしながら、前記従来の技術には次のような不都合があった。
図５に示す保護構造では、先ず、防水層３の立ち上がり部４の端部を第1金具５によりコンクリート壁面２に固定して第1シール６を形成し、次いで第2金具７をシール手段としてのゴムパッキング８を介して壁面２に固定すると言うように２工程を必要とし、使用する金具も２部材であるなど施工コスト、施工効率の点で問題があった。
また、第１金具、第２金具を上下方向に並設する構成のため、低い箇所での構築には煩瑣な施工を必要とされる。
図５に示す保護構造の実際の施工は、先ず防水工事専門メーカーが防水層の敷設を担当し、防水層３の立ち上がり部４の端部を第1金具５によりコンクリート壁面２に固定して第1シール６を形成するまでを行い、防水工事終了とされる。これ以降は防水工事とは切り離して全く別種の工事として扱われ、防水工事の完了を待って、防水工事専門メーカーとは別の施工業者が第2金具７をシール手段としてのゴムパッキング８を介して壁面２に固定する作業を担当するようになっている。
しかしながら、工事をこのように区分してしまうと、工期の遅れ、施工コストの増加等の不都合が生じるばかりでなく、防水の安全性も確保できない虞が生じる。  すなわち、第1シール６を保護するための第2金具７をシール手段としてのゴムパッキング８等の取り付け作業は防水工事の重要な部分であり、この作業を防水分野の全般に通暁する防水専門メーカーが担当してこそ防水の安全性の確保が実現できるのである。
【０００５】
【課題を解決するための手段】
本願発明は、床面から壁面まで延伸される防水層の立ち上がり部の雨水、紫外線、熱等に対する保護構造を、防水層立ち上がり端部を壁面に固定するとともに前記端部とその近傍を遮蔽して雨水の浸入あるいは紫外線、太陽光線等による劣化現象を防止するための保護金具と、前記金具の外側と壁面との間に形成される第1シールと、前記金具に遮蔽されて金具と壁面との間に形成される第2シールとを具え、前記保護金具は、防水層立ち上がり端部を壁面との間で挟持するベース板と、このベース板上端から壁面方向に突出して壁面に当接して前記第1シールと第2シールとを区画する分離板と、ベース板上端から外方に突出して壁面との間で前記第1シールを形成するための支持板とを具えて構成して上記課題を解決しようとするものである。
【０００６】
また、上記保護構造において、前記分離板は壁面に当接する端部がベース板上端より上方となる傾斜角を有し、前記支持板は壁面側から外方にかけて下降するように形成することがある。
【０００７】
さらに、上記保護構造において、前記分離板には傾斜角の調整手段を設け端部の壁面への着実な当接を確保するとともに、支持板の外方端には垂下する外板を一体に形成することがある。
【０００８】
さらにまた、上記保護構造において、ベース板はその下端に外方へ下降する傾斜部を形成して防水性の向上を確保することがある。
【０００９】
また、上記いずれかの保護構造において、ベース板は外板より長く形成され、外板に覆われていない部分においてベース板を壁面等にビス止めできるように構成して、施工効率の向上を確保することがある。
【００１０】
さらに、上記いずれかの防水層立ち上がり部の保護構造において、外板はベース板より長く形成され、外板に設けた通気孔を介してベース板を壁面等にビス止めできるように構成することがある。
【００１１】
本願発明はまた、壁面における防水層立ち上がり端部を壁面に固定する一方、 前記端部とその近傍を外方に露出する第１シールと露出しない第２シールとによ り遮蔽して雨水の浸入を防止するとともにに前記端部とその近傍を遮蔽して雨水の浸入あるいは紫外線、太陽光線等による劣化現象を防止するための保護金具を、防水層立ち上がり端部を壁面との間で挟持するベース板と、このベース板上端から壁面方向に突出して壁面に当接して前記第1シールと第2シールとを区画する分離板と、ベース板上端から外方に突出して壁面との間で前記第1シールを形成するための支持板とを具え、支持板の外方端には垂下する外板を一体に形成するように構成して、上記従来の課題を解決しようとするものである。
【００１２】
上記保護金具において、前記分離板は壁面に当接する端部がベース板上端より上方となる傾斜角を有し、前記支持板は壁面側から外方にかけて下降するように形成することがある。
【００１３】
また、上記保護金具において、前記分離板には傾斜角の調整手段を設け端部の壁面への着実な当接を確保するとともに、ベース板はその下端に外方へ下降する傾斜部を形成することがある。
【００１４】
さらに、上記いずれかの保護金具において、ベース板は外板より長く形成され、外板に覆われていない部分においてベース板を壁面等にビス止めできるように構成することがある。
【００１５】
さらにまた、上記いずれかの保護金具において、外板はベース板より長く形成され、外板に設けた通気孔を介してベース板を壁面等にビス止めできるように構成することもある。
【００１６】
【発明の実施形態】
以下、本願発明の実施形態を説明する。なお、以下において、保護金具は、防水層立ち上がり部の保護構造に併せて説明する。
図１および図２は、それぞれ本願発明の第１実施形態に係る防水層立ち上がり部の保護構造の一部切欠断面図および一部切欠斜視図である。
図において、１１は保護金具で、床面から壁面に延伸される防水層１２の立ち上がり端部１２ａを壁面１３に固定するとともに前記端部１２ａとその近傍を遮蔽して雨水の浸入あるいは紫外線、太陽光線等による劣化現象を防止するようになっている。
【００１７】
１４は、前記金具１１の外側と壁面１３との間に形成される第1シール、１５は、前記金具１１に遮蔽されて金具１１と壁面１３との間で防水層立ち上がり端部１２ａをシーリングする第2シールである。なお、１６は、前記第1シール１４のバックアップ材、１７は金具を壁面１３に固定するビスである。
このように、防水層立ち上がり端部１２ａと壁面１３との間は、第1シール１４と第2シール１５とのより二重にシーリングされていて雨水に対するシーリングを万全なものとしている。  また、第2シール１５は金具１１により常時遮蔽されているから、外気温の変化、紫外線、太陽光線等による劣化作用を受け難くその耐久性は格段に向上する。
【００１８】
前記保護金具１１は、図２に示すように、前記防水層１２の立ち上がり端部１２ａを壁面１３との間で挟持するベース板１１ａと、このベース板１１ａ上端から壁面１３方向に斜め上方に突出し壁面１３に当接して前記第1シール１４の区画と第2シール１５の区画とを区画する分離板１１ｂと、ベース板１１ａ上端から壁面１３とは反対の外方に突出して壁面１３との間で前記第1シールを形成するための支持板１１ｃと、この支持板１１ｃから垂下する外板１１ｄと、前記ベース板１１ａの下方に穿設される複数のビス止め用の孔部と、を具え、アルミ材の押し出し成形により一体に形成されている。
【００１９】
なお、支持板１１ｃは、雨水等の流下を容易になすために壁面側から外方にかけて下降傾斜するように形成することが望ましい。  さらに、前記分離板１１ｂも壁面に当接する端部が上方となる傾斜角を有して形成される。
そして、この分離板１１ｂには前記支持板１１ｃとの間に傾斜角の調整手段としての溝部１１ｆが設けられていて、分離板１１ｂ端部の壁面への着実な当接を確保するようになっている。すなわち、調整手段としての溝部１１ｆの存在により分離板１１ｂの傾斜角の調節が容易になり当接の相手方である壁面の状態に適切に対応できることになる。
また、図において、１１ｇは、前記支持板１１ｃの下端に一体に形成される傾斜部で、外方へ下斜めに突出して防水性の向上を確保するようになっている。
「実２で、使うかも：それぞれ後述の保護パネルを挟持するために形成される外側押さえ及び内側押さえである。  そして、前記外側押さえ１１ｄには空気流通用の貫通孔１１ｇが形成されている。
【００２０】
図３、図４は、それぞれ他の実施形態に係る防水層立ち上がり部の保護構造の一部切欠断面図および一部切欠斜視図である。この実施形態では、保護金具２１の構成が前記実施形態と若干異なるのみで、防水層、壁面等と保護金具の関連構成は同一である。
保護金具２１は、図４に示すように、前記防水層１２の立ち上がり端部１２ａを壁面１３との間で挟持するベース板２１ａと、このベース板２１ａ上端から壁面１３方向に斜め上方に突出し壁面１３に当接して前記第1シール１４の区画と第2シール１５の区画とを区画する分離板２１ｂと、ベース板２１ａ上端から壁面１３とは反対の外方に突出して壁面１３との間で前記第1シールを形成するための支持板２１ｃと、この支持板２１ｃから垂下する外板２１ｄと、前記外板２１ｄにおいてベース板２１ａに対向する部分に穿設される複数の通気孔と、を具え、アルミ材の押し出し成形により一体に形成されている。
外板２１ｄはベース板２１ａより長く形成され、外板２１ｄに設けた通気孔２１ｅを介してベース板２１ａを壁面等にビス止めできるようにしてある。
通気孔２１ｅは、外部との換気を促進して湿気によるカビ発生等の不都合を防止する。
【００２１】
【発明の効果】
本願発明は、以上説明した構成作用により、床面から屋上の周壁その他の壁面まで延伸された防水層の立ち上がりの保護におけるいわゆる二重シールにおいて、防水層の立ち上がり端部の直接シール区画を金属板により遮蔽するしさらにこの金属板を水密に遮蔽する他のシール区画で保護するとともに、直接シール区画を紫外線、太陽熱等から遮断を低コスト施工可能にし、しかも防水専門メーカーが一貫して工事を担当できるようにしたので防水品質が飛躍的に向上する。また、防水層の保護板を必ずしも必要としないので特に、低い位置での施工に適している。
【図面の簡単な説明】
【図１】本願発明の１実施形態に係る防水層立ち上がり部の保護構造の一部切欠断面図である。
【図２】保護金具の１実施形態に係る一部切欠斜視図である。
【図３】本願発明の他の実施形態に係る防水層立ち上がり部の保護構造の一部切欠断面図である。
【図４】同上実施形態に係る保護金具の一部切欠斜視図である。
【図５】従来技術を示す断面図である。
【符号の説明】
１１、２１．．．．．．保護金具
１２．．．．．．．．．防水層立ち上がり部
１３．．．．．．．．．壁面
１４．．．．．．．．．第1シール部
１５．．．．．．．．．第2シール部